【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
被検体に超音波プローブを介して超音波の送受信を行う送受信部と、
前記送受信部によって得られる受信信号を処理して２次元の超音波画像を生成する画像データ生成部と、
前記２次元の超音波面像を処理して３次元画像を生成する画像表示処理部と、
前記画像表示処理部で生成した画像を表示する表示部と、
前記３次元画像の注目部位にマークを設定するマーク設定部と、
前記３次元画像内での前記マークの空間領域を示すマーク情報を記憶する記憶部と、
前記超音波プローブによって前記被検体を再スキャンして前記マークの空間領域がスキャンされたとき、前記記憶部に記憶したマーク情報を利用して既定の処理を行うように制御する制御部と、
を備える超音波診断装置。
【請求項２】
前記制御部は、前記既定の処理として、前記超音波プローブによる再スキャンの領域が前記マークの空間領域に入ったことを通知する請求項１記載の超音波診断装置。
【請求項３】
前記制御部は、前記既定の処理として、前記画像表示処理部を制御し、前記マークの空間領域の連続する２次元画像をもとに３次元画像を再構成する請求項１記載の超音波診断装置。
【請求項４】
前記マーク設定部は、前記表示部に表示された３次元画像内に注目点が指定されたとき、前記注目点から一定範囲の領域を前記マークの空間領域として自動的に設定する請求項１記載の超音波診断装置。
【請求項５】
前記超音波プローブによって前記被検体の前記マークを含む検査領域を再スキャンする際に、前記超音波プローブの超音波ビームが前記マークの空間領域に入ったとき及び前記マークの空間領域から出たことを通知する通知部を備えた請求項１記載の超音波診断装置。
【請求項６】
前記マーク設定部は、前記マークの設定を編集可能である請求項１記載の超音波診断装置。
【請求項７】
前記超音波プローブは、位置情報を取得するセンサを含み、
前記画像表示処理部は、前記超音波プローブの位置情報をもとに、前記再スキャン時に前記３次元画像の任意の断面と前記超音波プローブによってスキャンされる断面との位置合わせを行い、前記再スキャンによる３次元画像を再構成する請求項１記載の超音波診断装置。
【請求項８】
被検体の２次元の超音波画像を処理して３次元画像を生成する画像表示処理部と、
前記画像表示処理部で生成した画像を表示する表示部と、
前記３次元画像の注目部位にマークを設定するマーク設定部と、
前記３次元画像内での前記マークの空間領域を示すマーク情報を記憶する記憶部と、
超音波プローブによって前記被検体を再スキャンして前記マークの空間領域がスキャンされたとき、前記記憶部に記憶したマーク情報を利用して既定の処理を行うように制御する制御部と、
を備える医用画像処理装置。
【請求項９】
前記制御部は、前記既定の処理として、前記超音波プローブによる再スキャンの領域が前記マークの空間領域に入ったことを通知する請求項８記載の医用画像処理装置。
【請求項１０】
前記制御部は、前記既定の処理として、前記画像表示処理部を制御し、前記マークの空間領域の連続する２次元画像をもとに３次元画像を再構成する請求項８記載の医用画像処理装置。
【請求項１１】
前記マーク設定部は、前記表示部に表示された３次元画像内に注目点が指定されたとき、前記注目点から一定範囲の領域を前記マークの空間領域として自動的に設定する請求項８記載の医用画像処理装置。
【請求項１２】
前記マーク設定部は、前記マークの設定を編集可能である請求項８記載の医用画像処理装置。
【請求項１３】
前記画像表示処理部は、超音波診断装置内に設けられ、
前記マークの設定は、超音波診断装置に接続された画像処理部によって行う請求項８記載の医用画像処理装置。
【請求項１４】
前記画像表示処理部は、超音波診断装置内に設けられ、
前記マークは、前記超音波診断装置に接続された医用画像診断装置によって生成された３次元画像の任意の断面に設定され、
前記制御部は、前記医用画像診断装置によって生成された３次元画像の任意の断面と超音波プローブによって再スキャンされる断面との位置合わせを行い、前記再スキャンによる３次元画像を再構成するように前記画像表示処理部を制御する請求項８記載の医用画像処理装置。
【手続補正２】
【補正対象書類名】明細書
【補正対象項目名】発明の名称
【補正方法】変更
【補正の内容】
【発明の名称】超音波診断装置及び医用画像診断装置
【手続補正３】
【補正対象書類名】明細書
【補正対象項目名】０００１
【補正方法】変更
【補正の内容】
【０００１】
本発明の実施形態は、注目部位を再スキャンして３次元画像を表示することができる超音波診断装置及び医用画像処理装置に関する。
【手続補正４】
【補正対象書類名】明細書
【補正対象項目名】０００５
【補正方法】変更
【補正の内容】
【０００５】
発明が解決しようとする課題は、３次元画像収集において、被検体の同一の注目部位を再度スキャンして収集することができる超音波診断装置及び医用画像処理装置を提供することにある。
【手続補正５】
【補正対象書類名】明細書
【補正対象項目名】０００６
【補正方法】変更
【補正の内容】
【０００６】
実施形態に係る超音波診断装置は、被検体に超音波プローブを介して超音波の送受信を行う送受信部と、前記送受信部によって得られる受信信号を処理して２次元の超音波画像を生成する画像データ生成部と、前記２次元の超音波面像を処理して３次元画像を生成する画像表示処理部と、前記画像表示処理部で生成した画像を表示する表示部と、前記３次元画像の注目部位にマークを設定するマーク設定部と、前記３次元画像内での前記マークの空間領域を示すマーク情報を記憶する記憶部と、前記超音波プローブによって前記被検体を再スキャンして前記マークの空間領域がスキャンされたとき、前記記憶部に記憶したマーク情報を利用して既定の処理を行うように制御する制御部と、を備える。
【手続補正６】
【補正対象書類名】明細書
【補正対象項目名】０００８
【補正方法】変更
【補正の内容】
【０００８】
以下、実施形態に係る超音波診断装置及び医用画像処理装置について図面を参照して詳細に説明する。尚、各図において同一箇所については同一の符号を付す。
【手続補正７】
【補正対象書類名】明細書
【補正対象項目名】０００９
【補正方法】変更
【補正の内容】
【０００９】
（第１の実施形態）
図１は、一実施形態に係る医用画像処理装置としての超音波診断装置１０の構成を示すブロック図である。図１において、超音波診断装置の本体１００には、被検体（図示せず）に対して超音波の送受波を行なう超音波プローブ１１が接続されている。本体１００は、超音波プローブ１１を駆動して被検体に対して超音波走査を行う送受信部１２と、送受信部１２によって得られた受信信号を処理してＢモード画像データ、ドプラ画像データ等の画像データを生成する画像データ生成部１３を備えている。
【手続補正８】
【補正対象書類名】明細書
【補正対象項目名】００１３
【補正方法】変更
【補正の内容】
【００１３】
送受信部１２は、超音波駆動信号を生成する送信部１２１と、超音波プローブ１１から得られる超音波受信信号を処理する受信部１２２とを備えており、送信部１２１は、超音波駆動信号を生成して超音波プローブ１１に出力し、受信部１２２は、圧電振動子からの超音波受信信号を画像データ生成部１３に出力する。超音波プローブ１１からから被検体に超音波が送信されると、送信された超音波は、被検体の体内組織における音響インピーダンスの不連続面で次々と反射され、反射波信号として複数の圧電振動子にて受信される。
【手続補正９】
【補正対象書類名】明細書
【補正対象項目名】００２０
【補正方法】変更
【補正の内容】
【００２０】
システム制御部１７は、例えば、操作部１８から入力された各種設定要求や、ＲＯＭから読込んだ各種制御プログラムおよび各種設定情報に基づき、送受信部１２、Ｂモード処理部１３２、ドプラ処理部１３４および画像表示処理部１４を制御する。また画像メモリ１５が記憶する超音波画像などを表示部１６に表示するように制御する。また表示部１６のほかにブザー１６１を備えても良い。システム制御部１７は、表示部１６やブザー１６１を介して各種のメッセージを通知するように制御する。また表示部１６には、超音波プローブ１１のスキャン方向を表示するようにしてもよい。例えば前回のスキャン方向を矢印等で表示して、ガイドする機能を付加してもよい。
【手続補正１０】
【補正対象書類名】明細書
【補正対象項目名】００２９
【補正方法】変更
【補正の内容】
【００２９】
次にオペレータは、被検体を再スキャンする。このときプローブ１１を移動してマークＭ１、Ｍ２で示すセグメント領域内にプローブ１１の超音波ビームが入ると、システム制御部１７は、セグメント領域内に入ったことが分かるように表示部１６の画面上に表示をする。オペレータは、設定したマークＭ１、Ｍ２内をスキャンしていることを知ることができる。したがって、より詳細なスキャンができるように、例えばプローブ１１の移動速度を遅くしてスキャンする。図２（ｄ）は、再スキャンによって取得した２次元断面像の集合を示し、マークＭ１とＭ２の空間領域に対応する部分は、色を変えて示している。
【手続補正１１】
【補正対象書類名】明細書
【補正対象項目名】００４５
【補正方法】変更
【補正の内容】
【００４５】
図６、図７において、再スキャンする場合は先にスキャンしたときのプローブ１１の位置情報をもとに、同一の被検体の同一の部位をスキャンすることになる。また前回スキャンしたときのスキャン方向を表示するようにすれば、スキャンする際のガイドとなる。こうして被検体に対してプローブ１１をスイープし、プローブ１１の超音波ビーム３３がマークＭ１の位置に入ると、システム制御部１７は、記憶部１９に記憶したマーク情報を利用して既定の処理を行うように制御する。既定の処理としては、メッセージの通知や３次元画像の再構成などがある。例えば、プローブ１１の超音波ビーム３３がマークＭ１の位置に入ると、注目部位のスキャン開始の通知を行い、オペレータに分かるように、「注目領域に入りました」などのメッセージを表示部１６に表示する。或いは、ブザー１６１などの音声で知らせても良い。表示部１６やブザー１６１は通知部を構成する。
【手続補正１２】
【補正対象書類名】明細書
【補正対象項目名】００４６
【補正方法】変更
【補正の内容】
【００４６】
プローブ１１がマークＭ１で示すセグメント領域に入ると、より詳細にスキャンするため、プローブ１１をゆっくりの移動して細かくスキャンし、高精細な画像を撮るようにする。またプローブ１１がマークＭ１の領域を外れると、注目領域のスキャン終了の通知が行われ、「注目領域を出ました」といったメッセージを表示してオペレータに知らせる。そして通常のスキャンに移行する。また図６の点線（プローブ１１’）で示すようにスキャンする向きを変えても良い。この場合もプローブ１１を矢印Ｘ方向にスイープし、超音波ビーム３３がマークＭ１の領域に入ったとき、及びマークＭ１の領域を外れたときにメッセージを表示してオペレータに知らせる。また、プローブ１１がマークＭ１で示すセグメント領域内に入っている間、マークＭ１の領域内にあることを示すメッセージを表示しても良い。
【手続補正１３】
【補正対象書類名】明細書
【補正対象項目名】００４８
【補正方法】変更
【補正の内容】
【００４８】
さらに、前述した既定の処理として、３次元画像の再構成を行う。即ち、オペレータがマークＭ１，Ｍ２の領域を詳細にスキャンしているときは、収集した２次元断面画像から３次元画像への再構成（ボリュームデータを作成）をリアルタイムに行い、その状況を表示部１６の画面に表示するとよい。したがって、どの程度の空間領域をスキャンしているのかをオペレータが把握しやすくなる。
【手続補正１４】
【補正対象書類名】明細書
【補正対象項目名】００５３
【補正方法】変更
【補正の内容】
【００５３】
（第２の実施形態）
マーク（セグメント領域）の設定は、超音波診断装置１０だけでなく、Ｘ線ＣＴ装置２０２やＭＲＩ装置２０３等の他の医用画像診断装置の任意の３次元画像を利用して設定することができる。第２の実施形態は、他の医用画像診断装置によって、注目点Ｐを指定し、指定した点Ｐを中心として、予め設定した範囲の空間領域を自動的に計算し、前もって規定した大きさでマークＭ１を作成するようにしたものである。
【手続補正１５】
【補正対象書類名】図面
【補正対象項目名】図１
【補正方法】変更
【補正の内容】
【図１】
2014158614.tif 000001